(57)【特許請求の範囲】
【請求項１】
記録材に画像を形成する画像形成部と、
印刷ジョブの管理を行う印刷管理装置に印刷ジョブを登録したユーザのユーザ情報を、当該印刷管理装置から取得するユーザ情報取得部と、
前記ユーザ情報取得部が取得した前記ユーザ情報を使用して前記ユーザが予め定められた範囲内に存在するか否かを検知するユーザ検知部と、
前記ユーザがユーザの認証を行う前であり、かつ当該ユーザが予め定められた範囲内に存在した場合には、前記印刷ジョブを受信する処理を当該ユーザの認証を行う前に開始し、その他の場合には、この動作を行わない印刷ジョブ受信部と、
を備えることを特徴とする画像形成装置。
【請求項２】
装置が節電状態にあったときに前記ユーザが予め定められた範囲内に存在したときは、通常状態に復帰させる状態制御部をさらに備えることを特徴とする請求項１に記載の画像形成装置。
【請求項３】
前記ユーザ検知部は、前記印刷ジョブの処理に要する時間により前記予め定められた範囲の大きさを変更することを特徴とする請求項１または２に記載の画像形成装置。
【請求項４】
記録材に画像を形成する画像形成部と、
印刷ジョブの管理を行う印刷管理装置に印刷ジョブを登録したユーザのユーザ情報を、当該印刷管理装置から取得するユーザ情報取得部と、
前記ユーザ情報取得部が取得した前記ユーザ情報を使用して前記ユーザが予め定められた範囲内に存在するか否かを検知するとともにユーザが移動中であるか否かを判断するユーザ検知部と、
前記ユーザがユーザの認証を行う前であり、かつ当該ユーザが予め定められた範囲内に存在したとともに前記ユーザが移動している場合は、前記印刷ジョブを受信する処理を当該ユーザの認証を行う前に開始し、その他の場合には、この動作を行わない印刷ジョブ受信部と、
を備えることを特徴とする画像形成装置。
【請求項５】
記録材に画像を形成する画像形成部と、
印刷ジョブの管理を行う印刷管理装置に印刷ジョブを登録したユーザのユーザ情報を、当該印刷管理装置から取得するユーザ情報取得部と、
前記ユーザ情報取得部が取得した前記ユーザ情報を使用して前記ユーザが予め定められた範囲内に存在するか否かを検知するとともに前記印刷ジョブの処理に要する時間を推定するユーザ検知部と、
前記ユーザがユーザの認証を行う前であり、かつ当該ユーザが予め定められた範囲内に存在したとともに前記印刷ジョブの処理に要する時間が予め定められた閾値を超えた場合は、当該印刷ジョブを受信する処理を当該ユーザの認証を行う前に開始し、その他の場合には、この動作を行わない印刷ジョブ受信部と、
を備えることを特徴とする画像形成装置。
【請求項６】
記録材に画像を形成することで印刷を行う画像形成装置と、
前記画像形成装置で行う印刷の管理を行う印刷管理装置と、
を備え、
前記画像形成装置は、
記録材に画像を形成する画像形成部と、
前記印刷管理装置に印刷ジョブを登録したユーザのユーザ情報を、当該印刷管理装置から取得するユーザ情報取得部と、
前記ユーザ情報取得部が取得した前記ユーザ情報を使用して前記ユーザが予め定められた範囲内に存在するか否かを検知するユーザ検知部と、
前記ユーザがユーザの認証を行う前であり、かつ当該ユーザが予め定められた範囲内に存在した場合には、前記印刷ジョブを受信する処理を当該ユーザの認証を行う前に開始し、その他の場合には、この動作を行わない印刷ジョブ受信部と、
を備えることを特徴とする画像形成システム。
【発明の詳細な説明】
【技術分野】
【０００１】
本発明は、画像形成装置、画像形成システムに関する。
【背景技術】
【０００２】
従来、ユーザがプリントサーバ等の印刷管理装置に印刷ジョブを登録し、このユーザが画像形成装置でユーザ認証を行うと、印刷ジョブが印刷管理装置からダウンロードされ印刷を行う画像形成システムが存在する。
【０００３】
特許文献１には、ユーザは、自己の識別情報が格納されたＩＣタグが装着された社員証を所持し、複写機は、節電状態において自装置にユーザが近づいて来ると、ユーザの社員証に装着されたＩＣタグと無線通信を行い、ユーザの識別情報を取得し、そして識別したユーザの過去の使用履歴を参照しユーザによる複写機の使用の有無を判断し、使用されると判断すると、ユーザ（ＩＣタグ）の動きから複写機の使用の有無を再度判断し、使用されると判断すると、準備動作の実行（節電解除）を必要と決め、使用されないと判断すると、準備動作の実行を不要と決める画像処理装置が開示されている。
【０００４】
特許文献２には、フロアには、アンテナを有した無線基地局がＩＣリーダを取り囲むように複数配置され、パソコンからプリンタに対し印刷指示を行ったユーザは、プリンタに近接して配置されたＩＣリーダまで移動して、自身が所持する携帯通信端末をＩＣリーダに近づけることで本人確認が行われる画像形成システムであって、複数の無線基地局が携帯通信端末の発する電波を受信することにより、携帯通信端末の位置情報がプリンタに取得され、プリンタが省エネモードにあるとき、印刷指示を行ったユーザが、本人認証を行うためにＩＣリーダに近づこうとして内エリアに進入すると、プリンタの起動状態への復帰が開始されるものが開示されている。
【先行技術文献】
【特許文献】
【０００５】
【特許文献１】特開２００７−４９３０８号公報
【特許文献２】特開２００８−１７２５３１号公報
【発明の概要】
【発明が解決しようとする課題】
【０００６】
画像形成装置において省エネルギーを実現するために、使用されない場合には、通常状態の消費電力量よりも少ない節電状態にし、使用される際には、節電状態から通常状態へ復帰することが行われることがある。このとき画像の形成を速やかに開始するため、ユーザを検知した時点で節電状態から通常状態へ復帰させることがある。
しかしながら従来は、節電状態から通常状態へ復帰させるだけであり、その後の処理はユーザがユーザ認証を行った後に行われる。そのため印刷が終了するまで多くの時間を要しやすく、ユーザの待ち時間が長くなりやすいという問題がある。
本発明は、ユーザ認証を行ない印刷を行う場合でも、ユーザの待ち時間が長くなりにくい画像形成装置等を提供することを目的とする。
【課題を解決するための手段】
【０００７】
請求項１に記載の発明は、記録材に画像を形成する画像形成部と、印刷ジョブの管理を行う印刷管理装置に印刷ジョブを登録したユーザのユーザ情報を、当該印刷管理装置から取得するユーザ情報取得部と、前記ユーザ情報取得部が取得した前記ユーザ情報を使用して前記ユーザが予め定められた範囲内に存在するか否かを検知するユーザ検知部と、前記ユーザがユーザの認証を行う前であり、かつ当該ユーザが予め定められた範囲内に存在した場合には、前記印刷ジョブを受信する処理を当該ユーザの認証を行う前に開始し、その他の場合には、この動作を行わない印刷ジョブ受信部と、を備えることを特徴とする画像形成装置である。
請求項２に記載の発明は、装置が節電状態にあったときに前記ユーザが予め定められた範囲内に存在したときは、通常状態に復帰させる状態制御部をさらに備えることを特徴とする請求項１に記載の画像形成装置である。
請求項３に記載の発明は、前記ユーザ検知部は、前記印刷ジョブの処理に要する時間により前記予め定められた範囲の大きさを変更することを特徴とする請求項１または２に記載の画像形成装置である。
請求項４に記載の発明は、記録材に画像を形成する画像形成部と、印刷ジョブの管理を行う印刷管理装置に印刷ジョブを登録したユーザのユーザ情報を、当該印刷管理装置から取得するユーザ情報取得部と、前記ユーザ情報取得部が取得した前記ユーザ情報を使用して前記ユーザが予め定められた範囲内に存在するか否かを検知するとともにユーザが移動中であるか否かを判断するユーザ検知部と、前記ユーザがユーザの認証を行う前であり、かつ当該ユーザが予め定められた範囲内に存在したとともに前記ユーザが移動している場合は、前記印刷ジョブを受信する処理を当該ユーザの認証を行う前に開始し、その他の場合には、この動作を行わない印刷ジョブ受信部と、を備えることを特徴とする画像形成装置である。
請求項５に記載の発明は、記録材に画像を形成する画像形成部と、印刷ジョブの管理を行う印刷管理装置に印刷ジョブを登録したユーザのユーザ情報を、当該印刷管理装置から取得するユーザ情報取得部と、前記ユーザ情報取得部が取得した前記ユーザ情報を使用して前記ユーザが予め定められた範囲内に存在するか否かを検知するとともに前記印刷ジョブの処理に要する時間を推定するユーザ検知部と、前記ユーザがユーザの認証を行う前であり、かつ当該ユーザが予め定められた範囲内に存在したとともに前記印刷ジョブの処理に要する時間が予め定められた閾値を超えた場合は、当該印刷ジョブを受信する処理を当該ユーザの認証を行う前に開始し、その他の場合には、この動作を行わない印刷ジョブ受信部と、を備えることを特徴とする画像形成装置である。
請求項６に記載の発明は、記録材に画像を形成することで印刷を行う画像形成装置と、前記画像形成装置で行う印刷の管理を行う印刷管理装置と、を備え、前記画像形成装置は、記録材に画像を形成する画像形成部と、前記印刷管理装置に印刷ジョブを登録したユーザのユーザ情報を、当該印刷管理装置から取得するユーザ情報取得部と、前記ユーザ情報取得部が取得した前記ユーザ情報を使用して前記ユーザが予め定められた範囲内に存在するか否かを検知するユーザ検知部と、前記ユーザがユーザの認証を行う前であり、かつ当該ユーザが予め定められた範囲内に存在した場合には、前記印刷ジョブを受信する処理を当該ユーザの認証を行う前に開始し、その他の場合には、この動作を行わない印刷ジョブ受信部と、を備えることを特徴とする画像形成システムである。
【発明の効果】
【０００８】
請求項１の発明によれば、ユーザ認証を行ない印刷を行う場合でも、ユーザの待ち時間が長くなりにくい画像形成装置を提供することができる。
請求項２の発明によれば、画像の形成を速やかに開始することができる。
請求項３の発明によれば、ユーザが待機する時間がさらに短くなりやすくなる。
請求項４の発明によれば、ユーザが予め定められた範囲内に存在したとしても、印刷ジョブを受信する処理が不必要な場合に、この動作を行わないようにすることができる。
請求項５の発明によれば、印刷ジョブの処理に要する時間が大きい場合を優先させることができ、ユーザが待機する時間がさらに短くなりやすくなる。
請求項６の発明によれば、ユーザの利便性がより高い画像形成システムを提供することができる。
【図面の簡単な説明】
【０００９】
【図１】本実施の形態が適用される画像形成システムの全体構成例を示したものである。
【図２】端末装置のハードウェア構成を示した図である。
【図３】画像形成装置のハードウェア構成例を示した図である。
【図４】画像形成装置を機能構成から見たときの機能構成例を示したブロック図である。
【図５】（ａ）〜（ｂ）は、電波強度を基にして、ユーザが予め定められた範囲内に存在するか否かを検知する方法について示した図である。
【図６】画像形成装置の動作の第１の実施形態について説明したフローチャートである。
【図７】画像形成装置の動作の第２の実施形態について説明したフローチャートである。
【図８】画像形成装置の動作の第３の実施形態について説明したフローチャートである。
【図９】（ａ）〜（ｅ）は、印刷ジョブの処理に要する時間を推定する方法について示した図である。
【図１０】画像形成装置の動作の第４の実施形態について説明したフローチャートである。
【発明を実施するための形態】
【００１０】
＜画像形成システムの全体構成の説明＞
以下、添付図面を参照して、本発明の実施の形態について詳細に説明する。
図１は、本実施の形態が適用される画像形成システムの全体構成例を示したものである。
図示する画像形成システムは、端末装置１０と、画像形成装置３０ａ、３０ｂ、３０ｃとがネットワーク９０に接続されることにより構成されている。また、ネットワーク９０には、プリントサーバ５０が接続されている。
尚、図では、画像形成装置３０ａ、３０ｂ、３０ｃを示したが、これらを区別する必要がない場合は、画像形成装置３０と称する。また、図には、３つの画像形成装置３０しか示していないが、４つ以上の画像形成装置３０を設けてもよい。
【００１１】
端末装置１０は、画像形成装置３０で印刷を行うための印刷ジョブをプリントサーバ５０に登録するコンピュータ装置である。そして端末装置１０は、プリントサーバ５０を介して、画像形成装置３０で印刷を行う。ここで、端末装置１０としては、ＰＣ（Personal Computer）、携帯端末、携帯電話等を用いるとよい。
【００１２】
画像形成装置３０は、記録材（記録媒体、用紙）に画像を形成し、印刷媒体として出力する装置である。ここで、画像形成装置３０としては、プリンタ機能のみを備えた装置を用いてもよいし、これに加えてスキャナ機能、ファクシミリ機能等の他の画像処理機能を備えた装置を用いてもよい。
【００１３】
プリントサーバ５０は、画像形成装置３０で行う印刷の管理を行う印刷管理装置の一例である。プリントサーバ５０は、例えばネットワーク機能を備えたＰＣ等で実現される。プリントサーバ５０は、端末装置１０から印刷ジョブを受信し、蓄積（スプーリング）する。そして、蓄積した印刷ジョブを画像形成装置３０へ送信し、印刷処理を実行させる。
【００１４】
ネットワーク９０は、端末装置１０と画像形成装置３０との間の情報通信に用いられる通信手段であり、例えば、ＬＡＮ（Local Area Network）である。
【００１５】
次に、端末装置１０のハードウェア構成について説明する。
図２は、端末装置１０のハードウェア構成を示した図である。
図示するように、端末装置１０は、演算手段であるＣＰＵ（Central Processing Unit）１１と、記憶手段であるメインメモリ１２及びＨＤＤ（Hard Disk Drive）１３とを備える。ここで、ＣＰＵ１１は、ＯＳ（Operating System）やアプリケーションプログラム等の各種ソフトウェアを実行する。また、メインメモリ１２は、各種ソフトウェアやその実行に用いるデータ等を記憶する記憶領域であり、ＨＤＤ１３は、各種ソフトウェアに対する入力データや各種ソフトウェアからの出力データ等を記憶する記憶領域である。
更に、端末装置１０は、外部との通信を行うための通信インターフェース（以下、「通信Ｉ／Ｆ」と表記する）１４と、ビデオメモリやディスプレイ等からなる表示機構１５と、キーボードやマウス等の入力デバイス１６とを備える。
【００１６】
なお図２は、プリントサーバ５０のハードウェア構成を示した図として捉えることもできる。
【００１７】
図３は、画像形成装置３０のハードウェア構成例を示した図である。
図示するように、画像形成装置３０は、ＣＰＵ３１と、ＲＡＭ（Random Access Memory）３２と、ＲＯＭ（Read Only Memory）３３と、操作パネル３５と、画像読取部３６と、画像形成部３７と、通信インターフェース（以下、「通信Ｉ／Ｆ」と表記する）３８と、無線モジュール３９とを備える。
【００１８】
ＣＰＵ３１は、ＲＯＭ３３等に記憶された各種プログラムをＲＡＭ３２にロードして実行することにより、後述する各機能を実現する。
ＲＡＭ３２は、ＣＰＵ３１の作業用メモリ等として用いられるメモリである。
ＲＯＭ３３は、ＣＰＵ３１が実行する各種プログラム等を記憶するメモリである。
操作パネル３５は、各種情報の表示やユーザからの操作入力の受付を行う例えばタッチパネルである。
【００１９】
画像読取部３６は、原稿に記録された画像を読み取る。ここで、画像読取部３６は、例えばスキャナであり、光源から原稿に照射した光に対する反射光をレンズで縮小してＣＣＤ(Charge Coupled Devices)で受光するＣＣＤ方式や、ＬＥＤ光源から原稿に順に照射した光に対する反射光をＣＩＳ(Contact Image Sensor)で受光するＣＩＳ方式のものを用いるとよい。
【００２０】
画像形成部３７は、用紙に画像を形成する。ここで、画像形成部３７は、例えばプリンタであり、感光体に付着させたトナーを用紙に転写して像を形成する電子写真方式や、インクを用紙上に吐出して像を形成するインクジェット方式のものを用いるとよい。本実施の形態では、印刷データに基づき印刷を行う印刷機構の一例として、画像形成部３７を設けている。
通信Ｉ／Ｆ３８は、ネットワークを介して他の装置との間で各種情報の送受信を行う。
無線モジュール３９は、外部機器と無線通信回線を介して接続するための装置である。無線モジュール３９は、この無線通信回線を利用して外部機器と通信を行うことができる。ここでは、無線モジュール３９として、Bluetooth（登録商標）を使用する。
【００２１】
本実施の形態では、端末装置１０で印刷ジョブを生成し、プリントサーバ５０で蓄積（スプーリング）する。そしてユーザは、画像形成装置３０の場所に行き、画像形成装置３０にてユーザ認証を行う。画像形成装置３０では、ユーザ認証後、印刷が開始される。
【００２２】
印刷を行うのに、画像形成装置３０にてユーザ認証が必要な場合としては、例えば、セキュリティプリントが挙げられる。
セキュリティプリントは、画像形成装置３０でユーザがユーザＩＤとパスワードを入力し、予め送られたユーザＩＤおよびパスワードと一致した場合は、印刷を行ない、一致しない場合は、印刷を行わない機能である。
【００２３】
＜画像形成装置３０の電力モードの説明＞
次に、画像形成装置３０の電力モードについて説明する。
画像形成装置３０は、消費電力の異なる複数の電力モード（動作モード）を有する。この電力モードとしては、例えば、印刷ジョブが発生し画像形成装置３０で画像を形成するときの通常モード（通常状態）と、印刷ジョブの発生に備えて待機するスタンバイモードと、消費電力量を低減するためのスリープモード（節電状態）が設定される。スタンバイモードおよびスリープモードにおいては、画像形成部３７などに供給する電力を、停止または通常モードにおける電力量よりも低下させる。これによりスタンバイモードの消費電力量は、通常モードの消費電力量よりも低くなる。またスリープモードの消費電力量は、さらに低くなる。
【００２４】
画像形成装置３０は、画像形成部３７での画像を形成する処理が完了すると通常モードからスタンバイモードに移行する。またスタンバイモードになった後に予め定められた時間、印刷ジョブが発生しないとスリープモードに移行する。
【００２５】
一方、画像形成装置３０は、予め定められた復帰条件が成立したときにスリープモードから通常モードへ復帰する。
【００２６】
この復帰条件としては、例えば、画像形成装置３０が、印刷ジョブを受信したときである。
また従来技術では、人が画像形成装置３０に近づいたことを復帰条件とするものがある。ただしこの場合、画像形成装置３０を使用する意図を有するユーザと、画像形成装置３０を使用する意図を有しない、例えば、通りすがりの人との区別はできないため、復帰が不必要な場合でも画像形成装置３０が復帰する場合が生じる。
【００２７】
この問題を抑制する従来技術として、接近してくるユーザを検知、特定し、そのユーザの使用履歴から画像形成装置３０の使用可能性を判断して、復帰を行うものがある。ただし使用履歴から画像形成装置３０の使用予測をしているため、予測が外れた場合、同様に復帰が不必要な場合でも画像形成装置３０が復帰する場合が生じる。
さらにこの問題を抑制する従来技術として、ユーザおよびこのユーザの位置を特定し、画像形成指示を行ったユーザが特定エリアに入ったときに、復帰を行うものがある。
【００２８】
しかしながら上記従来技術では、画像形成装置３０をスリープモードから通常モードへ復帰するだけであり、その後の処理は行わない。即ち、ユーザが画像形成装置３０に到達し、ユーザ認証を行った後に、画像形成装置３０は、プリントサーバ５０から印刷ジョブを受信する処理を開始する。そのため印刷ジョブをダウンロードする時間を要し、画像形成装置３０で印刷が完了するまで画像形成装置３０の前でユーザが待機する時間が長くなる問題がある。
【００２９】
そこで本実施の形態では、画像形成装置３０の機能構成を以下のようにすることで、この問題の抑制を図っている。
【００３０】
＜画像形成装置３０の機能構成の説明＞
図４は、画像形成装置３０を機能構成から見たときの機能構成例を示したブロック図である。
図示する画像形成装置３０は、ユーザ情報取得部３０１と、ユーザ検知部３０２と、電力モード切換部３０３と、印刷ジョブ受信部３０４と、ユーザ認証部３０５と、画像形成部３０６とを備える。
【００３１】
ユーザ情報取得部３０１は、印刷ジョブの管理を行うプリントサーバ５０に印刷ジョブを登録したユーザのユーザ情報を取得する。この場合、ユーザ情報は、ユーザを特定できる情報であれば特に限られるものではない。本実施の形態では、ユーザ情報取得部３０１は、ユーザ情報としてユーザＩＤを取得する。
【００３２】
ユーザ検知部３０２は、ユーザ情報取得部３０１が取得したユーザＩＤを使用してこのユーザＩＤを有するユーザが予め定められた範囲内に存在するか否かを検知する。
本実施の形態では、ユーザ検知部３０２は、Bluetoothを使用し、Bluetoothの電波強度を基にして予め定められた範囲内に存在するか否かを検知する。
【００３３】
ユーザ検知部３０２は、ユーザが所持し、Bluetoothの機能を有する携帯端末等から出力される電波を受信する。そしてこれによりこの端末を所持するユーザを特定する。さらに端末を所持するユーザとユーザ情報取得部３０１で取得したユーザＩＤのユーザとが同一であるか否かを判断する。
そして同一であった場合は、ユーザ検知部３０２は、電波強度によりユーザが予め定められた範囲内に存在するか否かを検知する。
【００３４】
図５（ａ）〜（ｂ）は、電波強度を基にして、ユーザが予め定められた範囲内に存在するか否かを検知する方法について示した図である。
このうち図５（ａ）は、予め定められた範囲Ｅを示した図である。この範囲Ｅは、画像形成装置３０を中心として半径ｒの円状の範囲として設定される。
【００３５】
また図５（ｂ）は、ユーザ検知部３０２が検知する電波強度の変化を示した図である。ここで横軸は時間を表し、縦軸は、電波強度を表す。図示する例では、電波強度は、時間経過とともに大きくなることがわかる。これはユーザが画像形成装置３０に近づいていることを示している。つまり電波強度は、電波を発する携帯端末等と画像形成装置３０との距離によって定まり、距離が近いほど大きくなり、距離が遠いほど小さくなる。よって電波強度が時間経過とともに大きくなるときは、ユーザが画像形成装置３０に近づいていることを示す。
【００３６】
そして本実施の形態では、電波強度に閾値を設け、電波強度がこの閾値を超えたときは、上記範囲Ｅ内にユーザが存在すると判断する。即ち、電波強度は、上述したように距離により定まるため、範囲Ｅの外縁部との距離である半径ｒに対応する電波強度は、予め測定することができる。よってこの電波強度を閾値とし、この閾値を超えたときは、画像形成装置３０とユーザとの距離が半径ｒ未満であるとすることができ、範囲Ｅ内にユーザが存在すると判断できる。
【００３７】
電力モード切換部３０３は、画像形成装置３０がスリープモードにあったときにユーザが予め定められた範囲Ｅ内に存在したときは、通常モードに復帰させる状態制御部の一例である。
これにより電力モード切換部３０３は、画像形成部３０６などに供給する電力を通常の状態とし、画像形成を行う準備を開始する。
【００３８】
印刷ジョブ受信部３０４は、ユーザ検知部３０２により、ユーザが予め定められた範囲Ｅ内に存在することが検知された場合に印刷ジョブを受信する処理をユーザの認証を行う前に開始する。
ここで印刷ジョブを受信する処理とは、例えば、プリントサーバ５０で行うファイルフォーマット変換である。即ち、プリントサーバ５０は、印刷データを画像形成装置３０で処理可能なデータ形式に変換する。具体的には、ユーザが入力したＵＲＬ（Uniform Resource Locator）からこれが示すＷｅｂページを印刷する場合、プリントサーバ５０は、ＵＲＬの情報からＰＤＦ等の形式に変換する処理をする。また印刷ジョブを受信する処理とは、例えば、印刷データの受信（ダウンロード）である。さらに印刷ジョブを受信する処理とは、例えば、受信した印刷データの展開、画像処理、圧縮等である。
【００３９】
ユーザ認証部３０５は、印刷ジョブ受信部３０４で印刷ジョブを受信する処理を開始した後に、ユーザの認証を行う。
ユーザの認証を行うには、セキュリティプリントの場合には、ユーザは、画像形成装置３０の操作パネル３５等にてユーザＩＤとパスワードを入力する。またこれに限られるものではなく、例えば、ＩＤカードを利用してユーザ認証を行なってもよい。
【００４０】
画像形成部３０６は、図３の画像形成部３７に対応し、用紙に画像を形成する機能部である。
【００４１】
＜画像形成装置３０の動作の説明＞
次に画像形成装置３０の動作について説明する。
ここでは、まず画像形成装置３０の動作の第１の実施形態について説明を行う。
【００４２】
［第１の実施形態］
図６は、画像形成装置３０の動作の第１の実施形態について説明したフローチャートである。
まずユーザ情報取得部３０１が、プリントサーバ５０から定期的に印刷ジョブの登録情報を取得する（ステップ１０１）。取得する方法としては、例えば、ユーザ情報取得部３０１からプリントサーバ５０へ定期的にポーリングを行ってもよく、またプリントサーバ５０からプッシュを行ってもよい。
【００４３】
次にユーザ情報取得部３０１が、印刷ジョブの登録情報に基づき、この印刷ジョブを登録したユーザのユーザＩＤを取得する（ステップ１０２）。
【００４４】
そしてユーザ検知部３０２が、図５で説明したような方法で、ユーザが予め定められた範囲Ｅ内に存在するか否かを判断する（ステップ１０３）。
その結果、ユーザが範囲Ｅ内に存在しない場合（ステップ１０３でＮｏ）、ステップ１０１に戻る。
【００４５】
対して、範囲Ｅ内に存在する場合（ステップ１０３でＹｅｓ）、電力モード切換部３０３が、画像形成装置の電力モードがスリープモードになっているか否かを判断する（ステップ１０４）。
そしてスリープモードである場合（ステップ１０４でＹｅｓ）、電力モード切換部３０３は、電力モードを通常モードに切り換える（ステップ１０５）。
【００４６】
一方、スリープモードでなかった場合（通常モードの場合）（ステップ１０４でＮｏ）、およびステップ１０５の後は、印刷ジョブ受信部３０４が、印刷ジョブを受信する処理をユーザの認証を行う前に開始する（ステップ１０６）。
具体的には、上述の通りプリントサーバ５０が、印刷データを画像形成装置３０で処理可能なデータ形式に変換する。なおこの処理は必要でない場合もある。また画像データのダウンロードを開始する。さらダウンロード終了後は、印刷データをメモリに展開、画像処理、画像データを圧縮してメモリに格納等の処理を行う。
【００４７】
一方、ユーザ認証部３０５は、ユーザ認証が行われた否かを判断する（ステップ１０７）。
そしてユーザ認証が行われた場合（ステップ１０７でＹｅｓ）、画像形成部３０６で印刷が行われる（ステップ１０８）。
対して、ユーザ認証が行われなかった場合（ステップ１０７でＮｏ）、印刷処理を中止し、一連の処理を終了する。
【００４８】
本実施の形態では、従来技術のようにユーザ認証を行った後に印刷ジョブを受信する処理を開始するのではなく、ユーザ認証を行う前に印刷ジョブを受信する処理を開始する。これは、印刷ジョブを受信する処理を開始した後に、ユーザ認証を行うと言い換えることもできる。これにより印刷ジョブのダウンロード等をしている間、または完了後にユーザ認証が行われる。そのため画像形成装置３０で印刷が完了するまで画像形成装置３０の前でユーザが待機する時間がより短くなり、ユーザの利便性が向上する。
【００４９】
［第２の実施形態］
次に画像形成装置３０の動作の第２の実施形態について説明を行う。
本実施の形態では、印刷ジョブ受信部３０４は、ユーザが移動していないときは、印刷ジョブを受信する処理を開始しない。
【００５０】
図７は、画像形成装置３０の動作の第２の実施形態について説明したフローチャートである。
図中、ステップ２０１〜ステップ２０３は、ステップ１０１〜ステップ１０３と同様であるので説明を省略する。
本実施の形態では、次のステップ２０４において、ユーザ検知部３０２が、ユーザが移動中であるか否かを判断する（ステップ２０４）。
そしてユーザが移動中だった場合（ステップ２０４でＹｅｓ）、次のステップ２０５に移行する。そして以後のステップ２０５〜ステップ２０９は、ステップ１０４〜ステップ１０８と同様である。
一方、ユーザが移動中でない場合（ステップ２０４でＮｏ）、ステップ２０１に戻る。
【００５１】
本実施の形態の場合、例えば、上述した予め定められた範囲Ｅに、ユーザが元から存在し、移動していない場合に、ステップ２０５以降の処理を行わない。つまりユーザがこの範囲Ｅ内に在席し、印刷ジョブの登録後も在席したままでいるような場合には、このユーザは早急に印刷を行う意思を有しないと考えられる。よってこの範囲Ｅ内にユーザが存在してもユーザが移動していないときは、ステップ２０５以降の処理を行わないことで、急を要する他のユーザを優先させる。
【００５２】
なおユーザ検知部３０２は、図５で説明した電波強度の変化を見て、その変化がほとんどない場合には、ユーザは移動していないと判断する。
【００５３】
これにより通常モードへの復帰動作や印刷ジョブを受信する処理が不必要な場合に、この動作を行わないようにする。
【００５４】
［第３の実施形態］
次に画像形成装置３０の動作の第３の実施形態について説明を行う。
本実施の形態では、ユーザ検知部３０２は、印刷ジョブの処理に要する時間により予め定められた範囲Ｅの大きさを変更する。
図８は、画像形成装置３０の動作の第３の実施形態について説明したフローチャートである。
図中、ステップ３０１〜ステップ３０２は、ステップ１０１〜ステップ１０２と同様であるので説明を省略する。
本実施の形態では、次のステップ３０３においてユーザ検知部３０２が、印刷ジョブの登録情報に基づき、印刷ジョブの処理に要する時間を推定する（ステップ３０３）。そしてユーザ検知部３０２は、推定した時間により範囲Ｅの大きさを決定する（ステップ３０４）。そして以後のステップ３０５〜ステップ３１０は、ステップ１０３〜ステップ１０８と同様である。
【００５５】
図９（ａ）〜（ｅ）は、印刷ジョブの処理に要する時間を推定する方法について示した図である。
このうち図９（ａ）は、印刷ジョブの処理に要する時間（処理時間）を算出する数式を示している。図９（ａ）は、印刷ジョブが複数あり、それぞれの印刷ジョブをα、β、…として表す。そしてそれぞれの印刷ジョブ毎にファイルサイズ、ファイルタイプ係数、および画像処理係数を乗算する。そしてさらに全て加算することで処理時間を算出する。
【００５６】
ファイルタイプ係数は、印刷ジョブのファイルタイプにより定まる係数であり、ファイルタイプにより処理時間が変化するため、このような係数を設けている。また画像処理係数は、画像処理により定まる係数であり、画像処理により処理時間が変化するため、このような係数を設けている。ここでは図９（ｂ）のように、ファイルタイプとファイルタイプ係数との関係を予め作成する。また図９（ｃ）のように、画像処理設定と画像処理係数との関係を予め作成する。そしてファイルタイプや必要な画像処理に基づき、これらの係数を決定する。
【００５７】
そしてユーザ検知部３０２は、算出された処理時間に基づき、図９（ｄ）に示すように、上記範囲Ｅを決定する。ここでは、処理時間により区分Ａ、区分Ｂ、区分Ｃ、区分Ｄの４段階の大きさの範囲Ｅが定まることを示している。そして区分Ａでは、範囲Ｅの半径ｒは、１８ｍに設定され、区分Ｂでは、範囲Ｅの半径ｒは、１２ｍに設定される。また区分Ｃでは、範囲Ｅの半径ｒは、９ｍに設定され、区分Ｄでは、範囲Ｅの半径ｒは、６ｍに設定される。なお図９（ｅ）において、この範囲Ｅを図示している。
【００５８】
本実施の形態では、処理時間が大きいほどより大きい範囲Ｅが設定される。つまり処理時間が大きいほど印刷ジョブを受信する処理に時間を要するため、より早く電力モードを通常モードにし、印刷ジョブを受信する処理を開始するようにする。これによりユーザが待機する時間がさらに短くなり、ユーザの利便性がさらに向上する。
【００５９】
［第４の実施形態］
次に画像形成装置３０の動作の第４の実施形態について説明を行う。
本実施の形態では、ユーザ検知部３０２は、印刷ジョブの処理に要する時間により印刷ジョブを受信する処理を開始するか否かを決定する。
図１０は、画像形成装置３０の動作の第４の実施形態について説明したフローチャートである。
図中、ステップ４０１〜ステップ４０５は、ステップ１０１〜ステップ１０５と同様であるので説明を省略する。
本実施の形態では、次のステップ４０６においてユーザ検知部３０２が、印刷ジョブの登録情報に基づき、印刷ジョブの処理に要する時間（処理時間）を推定する（ステップ４０６）。印刷ジョブの処理に要する時間は、図９（ａ）に示した数式を使用して算出する。
【００６０】
そしてユーザ検知部３０２が、推定した時間により印刷ジョブを受信する処理を開始するか否かを決定する（ステップ４０７）。具体的には、処理時間について閾値を設け、この閾値を超えた場合は、印刷ジョブを受信する処理を開始すると決定する。一方、この閾値以下の場合は、開始しないと決定する。
【００６１】
そして開始すると決定した場合（ステップ４０８でＹｅｓ）、以後の処理であるステップ４０９以降を行う。なおステップ４０９〜ステップ４１１は、ステップ１０６〜ステップ１０８と同様である。
【００６２】
一方、開始しないと決定した場合（ステップ４０８でＮｏ）、ユーザ認証部３０５が、ユーザ認証が行われた否かを判断する（ステップ４１２）。
そしてユーザ認証が行われた場合（ステップ４１２でＹｅｓ）、印刷ジョブ受信部３０４が、印刷ジョブを受信する処理を開始する（ステップ４１３）。そして画像形成部３０６で印刷が行われる（ステップ４１１）。
対して、ユーザ認証が行われなかった場合（ステップ４１２でＮｏ）、印刷処理を中止し、一連の処理を終了する。
【００６３】
印刷ジョブの処理に要する時間が小さい場合、印刷ジョブを受信する処理には多くの時間を要しない。よってこの処理を予め行う意義はより小さくなる。またこのような印刷ジョブに対して個々に対応すると、印刷ジョブの処理に要する時間が大きい印刷ジョブへの対応が遅れる場合がある。よって印刷ジョブの処理に要する時間が大きい場合、印刷ジョブを受信する処理を予め行う。一方、印刷ジョブの処理に要する時間が小さい場合、従来と同様にユーザ認証後にこの処理を行う。これにより印刷ジョブの処理に要する時間が大きい場合を優先させ、ユーザが待機する時間がさらに短くなりやすくなる。
【符号の説明】
【００６４】
１０…端末装置、３０…画像形成装置、５０…プリントサーバ、３０１…ユーザ情報取得部、３０２…ユーザ検知部、３０３…電力モード切換部、３０４…印刷ジョブ受信部、３０５…ユーザ認証部、３０６…画像形成部
【図１】
0006740586.tif 000002
【図２】
0006740586.tif 000003
【図３】
0006740586.tif 000004
【図４】
0006740586.tif 000005
【図５】
0006740586.tif 000006
【図６】
0006740586.tif 000007
【図７】
0006740586.tif 000008
【図８】
0006740586.tif 000009
【図９】
0006740586.tif 000010
【図１０】
0006740586.tif 000011